(57)【特許請求の範囲】
【請求項１】
粘着ロール近傍でコロナ放電を発生させ、粘着ロール表面をコロナ電荷で加電しつつ当該粘着ロールを被除塵物上に沿って移動させる方法であり、粘着ロール表面にメッシュ絶縁材からなる補助層を被せることを特徴とする除塵方法。
【発明の詳細な説明】
【０００１】
【発明の属する技術分野】
本発明は、除塵ロ−ルを使用して静電的吸着と粘着とにより除塵する方法に関するものである。
【０００２】
【従来の技術】
除塵方法として、粘着ロ−ルを被除塵物に沿って移動させていくことが知られているが、凹部や出隅コ−ナのように粘着ロ−ル面を接触させ得ない箇所に付着している塵の除去は実質上、不可能である。
而して、本発明者等においては、粘着ロ−ルのロ−ルを加電し、粘着除塵のみならず上記凹部等に付着している塵をも静電的に粘着ロ−ル表面に吸着させることを試みた。
【０００３】
この静電・粘着式除塵における除塵効果は、図４において、粘着ロ−ルＡと被除塵物Ｅとの接触箇所ｃの電位Ｖｓで評価でき、その電位Ｖｓは、ロ−ル１の印加電圧をＶ0、粘着ロ−ルＡにおけるロ−ル１から接触箇所ｃに至る抵抗（内部抵抗）をＲiとし、更に、接触箇所ｃでの接触抵抗をＲｃ、接触箇所ｃと大地間の抵抗（接地抵抗）をＲｇとしてその和（外部抵抗）をＲｅとすれば、
Ｖｓ＝Ｒｅ・Ｖ0／（Ｒi＋Ｒｅ）                          ▲１▼
または、
Ｖｓ＝（Ｒｇ＋Ｒｃ）・Ｖ0／（Ｒi＋Ｒｇ＋Ｒｃ）          ▲２▼
で表わされる。
【０００４】
【発明が解決しようとする課題】
しかしながら、通常、上記の外部抵抗Ｒｅが内部抵抗Ｒｉに較べて著しく小さく、例えば、ロ−ル印加電圧Ｖ0を２０ｋｖとしても、接触箇所電位Ｖｓを０．１ｋｖ程度にしかなし得ず、この程度の電位では満足な除塵は望めない。
従って、ロ−ル印加電圧Ｖ0を高くする必要があるが、この場合は、安全性に問題がある。
そこで、本発明者等は、低い印加電圧Ｖ0でも、充分な除塵率を達成すべく鋭意検討した結果、粘着ロ−ル近傍でコロナ放電を発生させ、このコロナ放電に基づく電荷を粘着ロ−ル表面に加電すれば、低い印加電圧のもとでも、上記接触箇所ｃでの電位を充分に高くして効率よく除塵できることを知った。
【０００５】
本発明の目的は、上記検討結果に基づき、被除塵物の除塵を静電吸着と粘着とにより低い印加電圧のもとで効率よく除塵できる方法を提供することにある。
【０００６】
〔課題を解決するための手段〕
本発明にに係る除塵方法は、粘着ロール近傍でコロナ放電を発生させ、粘着ロール表面をコロナ電荷で加電しつつ当該粘着ロールを被除塵物上に沿って移動させる方法であり、粘着ロール表面にメッシュ絶縁材からなる補助層を被せることを特徴とする。
【０００７】
【発明の実施の形態】
以下、図面を参照しつつ本発明の実施の形態を説明する。
図１は本発明において使用する除塵器の一例を示している。
図１において、１はロ−ル、２は取手付きの支持ア−ムであり、水平軸部２１にロ−ル１を回転自在に軸支してある。３は粘着テ−プ巻回体であり、片面粘着テ−プ３１を巻芯３２に粘着面を外側にして巻回し、巻芯においてロ−ルに装着してある。Ａはロ−ル１に粘着テ−プ巻回体３を装着してなる粘着ロ−ルを示している。４は粘着ロ−ルＡの直上に設けたコロナ放電用電極、５はこの放電用電極の高電圧発生器であり、上記取手内に組込み、取手にはこの高電圧発生器をオン・オフするための押しボタンスイッチを設けてある。
図１において、Ｅは被除塵物を示している。
【０００８】
図１において、放電用電極４でコロナを発生させると、このコロナ電荷で粘着ロ−ルＡの表面が加電され、粘着ロ−ル表面に電位が分布される。
この電位分布は、厳密には、表面抵抗と分布容量とからなるＲＣ分布定数回路で与えられるが、概略的には、コロナ放電により供給される電荷が、粘着ロ−ルの表面抵抗Ｒｓ、粘着ロ−ルと被除塵物との間の接触箇所ｃでの接触抵抗Ｒｃ、接地抵抗Ｒｇを経て大地に流れる過程での電位分布で把握できる。
【０００９】
而して、電極の印加電圧をＶ0とすれば、粘着ロ−ルが被除塵物上に静止しているときの接触箇所ｃでの電位Ｖ1は、
Ｖ1＝α（Ｒｇ＋Ｒｃ）・Ｖ0／（Ｒｓ＋Ｒｇ＋Ｒｃ）      ▲３▼
で表わすことができる。
また、粘着ロ−ルを回転させると、電位が分布した粘着ロ−ル表面が次々と被除塵物に接触していき、その回転中、粘着ロ−ル表面の表面抵抗Ｒｓやロ−ル回転速度に応じて電位が接触点に達するまでに減少し、その減少電位が接触箇所ｃに作用することになり、その作用電位Ｖ2は
Ｖ2＝βＶ0 ▲４▼
で表わすことができる。
従って、図１において、粘着ロ−ルＡを被除塵物Ｅ上に沿って移動させていくと、粘着ロ−ルと被除塵物との接触箇所ｃに作用する電位Ｖｃは、
Ｖｃ＝〔α（Ｒｇ＋Ｒｃ）／（Ｒｓ＋Ｒｇ＋Ｒｃ）＋β〕Ｖ0 ▲５▼
で表わすことができる。
ただし、（α＋β）≦１であり、粘着ロ−ルの回転速度が速いほど、また、粘着ロ−ルの表面抵抗Ｒｓが大きくなるほど、βが大となる。
【００１０】
本発明により除塵を行うには、放電用電極４を加電してコロナ放電を発生させつつ粘着ロ−ルＡを被除塵物Ｅ上に沿って移動させていく。
この場合、粘着ロ−ルと被除塵物との接触箇所ｃには、式▲５▼で示す電位Ｖｃが作用し、その接触箇所ｃ近傍の空間に電気力線が作用し、その空間や空間境界に存在する塵が粘着ロ−ル表面に静電的に吸着されていく。従って、粘着ロ−ルに接触させ得ない凹部に付着している塵をも確実に粘着固定できる。
【００１１】
上記において、粘着ロ−ルの表面抵抗Ｒｓを余り低くすると、粘着ロ−ル表面の電位分の均一化の点では有利であるが、粘着ロ−ルと被除塵物との接触抵抗Ｒｃが小となってコロナ電荷がア−ス側に逃げ易い点から不利である。他方、粘着ロ−ルの表面抵抗Ｒｓを余り高くすると、後述の実施例から明らかなように、Ｖｃ／Ｖ0（印加効率）が表面抵抗Ｒｓの増加に伴い小となる。従って、粘着ロ−ルの表面抵抗は１０9〜１０14Ωとされる。
【００１２】
上記粘着ロ−ルの表面抵抗Ｒｓを低くしても、そのロ−ル表面に塵の通過を妨げることのない、内部絶縁抵抗の大きい多間隙絶縁材、例えば、メッシュ絶縁材を補助層として被覆すれば、粘着ロ−ル表面での電位の均一分布、粘着ロ−ルによる塵の粘着固定作用を保証しつつ、粘着ロ−ルと被除塵物との間の抵抗Ｒｃを高くし、式3で示す電位Ｖ1を増加して印加効率をアップできる。
【００１３】
上記において、被除塵物が接地電位面より電気的に充分に絶縁されている場合、例えば、住宅の畳、絨毯、カ−ペットの場合、式▲５▼において接地抵抗Ｒｇが高くなるので、実質的に粘着ロ−ルの表面抵抗Ｒｓの制約なく、印加効率を高くできる。
尤も、後述の実施例から明らかなように、粘着ロ−ルの表面抵抗Ｒｓが１０11Ω〜１０12Ωの場合、被除塵物の接地抵抗Ｒｇが低くても、印加効率を充分に高くできる。
【００１４】
上記除塵ロ−ルにおいては、粘着ロ−ルの前後、または何れか一方において接地ロ−ルを設け、取手付きア−ムを導電性とし、取手内高電圧発生器の負極側を接地ロ−ルでア−スすることが好ましい。
上記高電圧発生器には、電源として電池または１００ボルト電源を用いた発生電圧±５〜±５０ｋｖ好ましくは２５ｋｖ以下のものが使用され、電源の内部インピ-ダンスまたは外部抵抗の接続により電圧課電時の充電電流を１０μ除塵以下とした感電衝撃の小さいタイプを使用することが望ましい。また、省エネルギ−のため断続的に印加するものの選択使用も可能である。更にまた、発生電圧は、塵等の量、重さ或いは被除塵面の凹凸状況等に応じて選定される。
【００１５】
また、本発明で使用する除塵器においては、図２に示すように、粘着ロ−ルＡを複数箇配設し、コロナ放電電荷による粘着ロ−ル表面の加電極性を交互に異極性とするために、放電用電極４，４の加電極性を交互に、正極性、負極性とすることもできる。図２において、６は接地ロ−ル、７はコロナの極性が互いに異極の空間を仕切る誘電体隔壁、例えば、塩化ビニル樹脂隔壁である。
【００１６】
本発明に係る他の除塵方法は、図４で示した、粘着ロ−ルＡのロ−ル１を加電しつつ粘着ロ−ルＡを被除塵物Ｅに接触させて移動させる方法において、粘着ロ−ルＡにおけるロ−ル１から被除塵物Ｅとの接触箇所ｃに至る抵抗Ｒi、接触箇所ｃの接触抵抗と被除塵物Ｅの接地抵抗との和Ｒｅ及びロ−ル１の印加電圧Ｖ0（単位は、ｋｖ）との間に、
Ｒi＜Ｒｅ・Ｖ0  ▲７▼
との関係を与えることにより実施される。
この除塵方法においては、Ｒi＜Ｒｅ・Ｖ0の関係と式▲１▼とから、
Ｖｓ＝Ｒｅ・Ｖ0／（Ｒi＋Ｒｅ）＞Ｖ0／（Ｖ0＋１）           ▲８▼
が成立し、例えば、印加電圧Ｖ0が２０（ｋｖ）の場合、Ｖｓを０．９５ｋｖ以上にでき、充分な印加効率を保証できる。
現に、Ｖ0＝２０（ｋｖ）、（Ｒi＋Ｒｅ）＝４×１０12Ω、Ｒｅ＝２×１０10Ωの場合、Ｖｓ＝０．１（ｋｖ）であり、除塵率は約１割に過ぎなかったが、被除塵物（ステンレス板）を接地電位面より約１０ｍｍ隔離してＲｅを増し、Ｒi≒Ｒｅの関係を与えたところ、Ｖｓ＝１０（ｋｖ）となり、除塵率を約４割に増加できた。
【００１７】
上記の内部抵抗Ｒiを減じ、外部抵抗Ｒｅを増加するには、図３に示すように、繰り出しロ−ル１１から繰り出し、巻き取りロ−ル１２で巻き取る粘着テ−プ３１の途中を加電用金属ロ−ル１０で被除塵物Ｅに接触させることが有効であり（図３において、６，６は接地用ロ−ル）、現に、被除塵物としてのステンレス板（接地抵抗は１×１０12Ω）上に１ｍ2当たり塩化ビニル樹脂パウダ−（粒径１００μｍ〜５００μｍ）と石松子（平均粒径３０μｍ）との混合粉末を約０．１ｇ散布し、印加電圧を２０ｋｖとしたところ、粘着テ−プの被除塵物接触箇所近傍で混合粉末が粘着テ−プに向かって飛行し、５往復で粉末の全量をほぼ除塵できた。
【００１８】
【実施例】
〔実施例１〕
粘着ロ−ルに表面抵抗Ｒｓが２×１０10Ωのものを使用し、被除塵物にステンレス板を使用し接地面より約１０ｍｍ隔離して絶縁し、被除塵物上に１ｍ2当たり塩化ビニル樹脂パウダ−（粒径１００μｍ〜５００μｍ）を約０．１ｇ散布した。
印加電圧を２０ｋｖとし、粘着ロ−ルと被除塵物との接触箇所近傍の粘着ロ−ル表面電位を測定したところ、１５ｋｖであり、除塵率はほぼ６割であった。
〔実施例２〕
実施例１に対し、ステンレス板と接地面との間にベ−クライト板を介在させてステンレス板を絶縁した以外、実施例１と同じとした。
粘着ロ−ルと被除塵物との接触箇所近傍の粘着ロ−ル表面電位を測定したところ、２０ｋｖであり、除塵率は１０割であった。
〔実施例３〕
実施例１に対し、被除塵物として銅箔積層のベ−クライトプリント基板を使用し、このプリント基板に孔を開け、銅箔を上側に向け、塩化ビニル樹脂パウダ−の一部を孔に落し込んだ以外、実施例１と同じとした。
粘着ロ−ルと被除塵物との接触箇所近傍の粘着ロ−ル表面電位を測定したところ、孔内及び基板銅箔上の塩化ビニル樹脂パウダ−を完全に除去できた。
【００１９】
〔実施例４〕
除塵器に図２に示すものを使用し、粘着ロ−ルＡ及び接地ロ−ル６とも半径ほぼ７５ｍｍとし、ロ−ル相互間の間隔をほぼ２０ｍｍとした。
被除塵物としての厚み３ｍｍの板に縦方向（ロ−ル移動方向）に１０ｍｍ間隔で２０箇、横方向に１０ｍｍ間隔で１５箇の密度で孔を穿孔した。
正極のコロナ放電電極の加電圧は＋２０ｋｖとし、負極のコロナ放電電極の加電圧は−２０ｋｖとした。
被除塵物の接地抵抗Ｒｇを０Ω、１×１０9Ω、１×１０10Ω、１×１０12Ωに、粘着ロ−ルの表面抵抗Ｒｓを１×１０9Ω、３×１０11Ω、２×１０12Ω、１×１０13Ωに調整したそれぞれの場合の正極側粘着ロ−ルの表面電位（被除塵物との接触箇所近傍の正極粘着ロ−ル表面の電位）は第１表の通りであり、負極側粘着ロ−ルの表面電位（被除塵物との接触箇所近傍の負極粘着ロ−ル表面の電位）は第２表の通りであった。
更に、ダミ−塵として、被除塵物上に塩化ビニル樹脂パウダ−（粒径１００μｍ〜５００μｍ）１ｇを均等に散布し、孔にパウダ−を落し込み、除塵器を５往復させたときの除塵状態を測定したところ、第３表の通りであった。
第３表において、◎は３往復で完全に除塵できたことを示し、○は５往復で完全に除塵できたことを示し、△は５往復でほぼ除塵できたことを示している。
【００２０】
0004321830.tif 000002
【００２１】
0004321830.tif 000003
【００２２】
0004321830.tif 000004
【００２３】
上記第３表から、実施例４においては、粘着ロ−ルを接触させ得ない凹部（孔）内の塵もよく除塵できることが明らかである。特に、粘着ロ−ルの表面抵抗Ｒｓが１０11Ω〜１０12Ωの場合、被除塵物の接地抵抗Ｒｇに左右されることなく、満足に除塵できることも明らかである。
また、第１表及び第２表と第３表との対比から、粘着ロ−ルの表面電位で除塵率を評価することの妥当性が確認できる。
【００２４】
〔比較例〕
実施例４の除塵器を両粘着ロ−ルのロ−ルに＋２０ｋｖを加電して使用した。５往復後での除塵率は５割以下であった。
この比較例と実施例１〜４との対比から、コロナ放電の電荷を粘着ロ−ル表面に加電し、粘着ロ−ル表面に電位を作用させる本発明によれば、高い除塵率で除塵できることが確認できる。
【００２５】
【発明の効果】
本発明に係る除塵方法によれば、被除塵物の除塵を静電吸着と粘着とにより低い印加電圧のもとで効率よく除塵でき、粘着ロ−ルによる単なる粘着除塵では除塵し難い凹部や入隅コ−ナの塵も除塵することができる。
【図面の簡単な説明】
【図１】本発明において使用する除塵器の一例を示す図面である。
【図２】本発明において使用する除塵器の上記とは別の例を示す図面である。
【図３】本発明において使用する除塵器の上記とは別の例を示す図面である。
【図４】粘着ロ−ルのロ−ルを加電することによる除塵法を示す図面である。
【符号の説明】
Ａ            粘着ロ−ル
４            コロナ放電用電極
５            高電圧発生器
Ｅ            被除塵物
【図１】
0004321830.tif 000005
【図２】
0004321830.tif 000006
【図３】
0004321830.tif 000007
【図４】
0004321830.tif 000008